(57)【要約】【課題】熱可塑性樹脂で成る締結体あるいは被締結体に対して熱環境下でも緩みを生じることなく、かつ軽量化を実現する締結構造を提供する。【解決手段】  有底孔２１が穿設された締結体２０と、貫通孔３１が穿設された被締結体３０と、頭部２およびねじ軸部３を備えたタッピンねじ１とから成り、タッピンねじ１０のねじ軸部１２を、締結体２０の有底孔２１および被締結体３０の貫通孔３１に挿通し、有底孔２１と貫通孔３１との双方にねじ込むことにより締結体２０に被締結体３０を固定するように構成した締結構造による。樹脂製の締結体２０および被締結体３０が熱の影響により収縮変形したとき、軸力は失われてしまうことになるが、ねじ軸部１２が、締結体２０と被締結体３０との双方にねじ込まれているので、ガタツキは生じず、緩みの原因となるガタツキを生じさせないことによる緩み止め効果を得ることができる。【選択図】図１
2018112292.tif 000002
【特許請求の範囲】
【請求項１】
孔が穿設された締結体と、貫通孔が穿設された被締結体と、頭部およびねじ軸部を備えたタッピンねじとから成り、
タッピンねじのねじ軸部を締結体の孔および被締結体の貫通孔に挿通し、締結体の孔と被締結体の貫通孔との双方にねじ込むことにより締結体に被締結体を固定することを特徴とする締結構造。
【請求項２】
タッピンねじのねじ軸部が、軸方向の一方に設けられる小径ねじ部と、軸方向の他方に設けられる大径ねじ部とを有し、小径ねじ部を締結体の孔にねじ込むとともに大径ねじ部を被締結体の貫通孔にねじ込むことを特徴とする請求項１に記載の締結構造。
【請求項３】
締結体の孔の内径ｄ１と、被締結体の貫通孔の内径ｄ２と、ねじ軸部の小径ねじ部の外径Ｄ１と、ねじ軸部の大径ねじ部の外径Ｄ２との大小関係は、ｄ１＜Ｄ１＜ｄ２＜Ｄ２であることを特徴とする請求項１または２に記載の締結構造。
【発明の詳細な説明】
【技術分野】
【０００１】
本発明は、樹脂製部品の締結構造に関する。
【背景技術】
【０００２】
従来から、一般的なタッピンねじの使用方法としては、締結体に下穴を設けるとともに被締結体に通し穴（別名、バカ穴）を設け、締結体に被締結体を積層し、タッピンねじのねじ軸部を通し穴から挿通して下穴にねじ込むことにより、締結体に被締結体を固定する方法が知られている。
【０００３】
しかしながら、上記タッピンねじでは、締結体あるいは被締結体が熱可塑性樹脂の場合、熱環境下において変形してしまうため、ガタツキによる緩みが生じたり、ねじが脱落する問題を有していた。そこで、熱可塑性樹脂で成る締結体あるいは被締結体にタッピンねじを使用する場合には、特許文献１に示す部材締結構造が用いられる。この部材締結構造は、図２に示すように、締結体２００の下穴２１０に金属製のインサートナット２２０を挿入するとともに、被締結体３００の通し穴３１０に金属製のカラー３２０を挿入し、インサートナット２２０の内周面にタッピンねじ１００のねじ軸部１１０でめねじを形成しながらねじ込むように構成されている。このため、金属製のインサートナット２２０およびカラー３２０は、熱環境下で熱可塑性樹脂よりも変形しにくいので、ねじの緩みや脱落が発生することを防止している。
【先行技術文献】
【特許文献】
【０００４】
【特許文献１】特開２０１６−０５０５９７号公報
【発明の概要】
【発明が解決しようとする課題】
【０００５】
しかしながら、特許文献１に示す部材締結構造では、インサートナットおよび金属製のカラーを挿入しなければならないため、作業工数および重量が過大になる問題を有していた。
【０００６】
本発明は、上記問題に鑑みて創生されたものであり、熱可塑性樹脂で成る締結体あるいは被締結体に対して熱環境下でも緩みを生じることなく、かつ軽量化を実現する締結構造を提供することを目的とする。
【課題を解決するための手段】
【０００７】
孔が穿設された締結体と、貫通孔が穿設された被締結体と、頭部およびねじ軸部を備えたタッピンねじとから成り、タッピンねじのねじ軸部を締結体の孔および被締結体の貫通孔に挿通し、締結体の孔と被締結体の貫通孔との双方にねじ込むことにより締結体に被締結体を固定することを特徴とする締結構造による。
【０００８】
なお、タッピンねじのねじ軸部が、軸方向の一方に設けられる小径ねじ部と、軸方向の他方に設けられる大径ねじ部とを有し、小径ねじ部を締結体の孔にねじ込むとともに大径ねじ部を被締結体の貫通孔にねじ込むことが好ましい。
【０００９】
なお、締結体の孔の内径ｄ１と、被締結体の貫通孔の内径ｄ２と、ねじ軸部の小径ねじ部の外径Ｄ１と、ねじ軸部の大径ねじ部の外径Ｄ２との大小関係は、ｄ１＜Ｄ１＜ｄ２＜Ｄ２であることが好ましい。
【発明の効果】
【００１０】
本発明の締結構造は、熱環境下において、熱可塑性樹脂で成る締結体および被締結体に対してインサートナットおよびインサートカラーを用いずとも、緩みやガタツキの発生を防止することができる。また、インサートナットおよびインサートカラーが不要になるため、軽量化を実現することができる。
【図面の簡単な説明】
【００１１】
【図１】本発明の部品締結構造を示す部分縦断面図である。
【図２】従来の部品締結構造を示す部分縦断面図である。
【発明を実施するための形態】
【００１２】
以下、図面に基づいて本発明の実施形態を説明する。図１において、１は本発明の締結構造であり、タッピンねじ１０と、締結体２０と、締結体２０にタッピンねじ１０により固定される被締結体３０とから構成される。
【００１３】
タッピンねじ１０は、ドライバビットが嵌合可能な十字穴（図示せず）を有する頭部１１と、この頭部１１に一体成形されるねじ軸部１２とから構成される。ねじ山を除いたねじ軸部１２の横断面形状は、円形または略三角形を成している。
【００１４】
また、ねじ軸部１２は、先端側に設けられる小径ねじ部１３と、頭部側に設けられる大径ねじ部１４とから構成されており、小径ねじ部１３のおねじ外径をＤ１、大径ねじ部１４のおねじ外径をＤ２としたとき、Ｄ１とＤ２との寸法の大小関係は、Ｄ１＜Ｄ２となるように設定されている。なお、小径ねじ部１３および大径ねじ部１４は、右ねじまたは左ねじのどちらであってもよい。
【００１５】
締結体２０および被締結体３０は、いずれれも熱可塑性樹脂で成る。また、締結体２０には、下穴として、締結体２０の平面上に開口を有する有底孔２１が穿設されており、この有底孔２１は、締結体２０の底面が貫通しない袋穴になっている。一方、被締結体３０には、通し穴として、被締結体３０の平面から底面側に貫通する貫通孔３１が穿設されている。これら有底孔２１および貫通孔３１には、平面側の開口部分にそれぞれ段付き部２１ａ、３１ｂが形成されている。そして、締結体２０の孔２１と被締結体３０の貫通孔３１とを連通させるようにして、締結体２０には被締結体３０が積層されている。なお、締結体２０の有底孔２１は、貫通孔であってもよく、つまり孔であればよい。
【００１６】
また、締結体２０の有底孔２１の内径をｄ１、被締結体３０の貫通孔３１の内径をｄ２としたとき、ｄ１とｄ２との寸法の大小関係は、ｄ１＜ｄ２となっている。さらに、締結体２０の有底孔２１の内径ｄ１と、被締結体３０の貫通孔３１の内径ｄ２と、ねじ軸部２の小径ねじ部１３の外径Ｄ１と、ねじ軸部２の大径ねじ部１４の外径Ｄ２との寸法の大小関係は、ｄ１＜Ｄ１＜ｄ２＜Ｄ２となっている。
【００１７】
上記部品締結構造１を構成するための締結方法としては、まず、締結体２０の上に被締結体３０を積層した状態で、被締結体３０の貫通孔３１にタッピンねじ１０のねじ軸部１２を挿入する。このとき、小径ねじ部１３の外径Ｄ１は、被締結体３０の貫通孔３１の内径ｄ２よりも小さいので、貫通孔３１の内周面に触れることなく、締結体２０の有底孔２１に挿入される。
【００１８】
続いて、小径ねじ部１３の外径Ｄ１は、締結体２０の有底孔２１の内径よりも大きいので、小径ねじ部１３は、有底孔２１の内周面に雌ねじを形成しながらねじ込まれるとともに、大径ねじ部１４が被締結体３０の貫通孔３１に挿入される。このとき、大径ねじ部１４の外径Ｄ２は、被締結体３０の貫通孔３１の内径ｄ２よりも大きいので、大径ねじ部１４は、貫通孔３１の内周面に雌ねじを形成しながらねじ込まれる。このようにして、タッピンねじ１０は、頭部１１の座面が被締結体３０の平面に着座するまで、締結体２０および被締結体３０にねじ込まれる。このようにしてねじ込みが完了した状態において、小径ねじ部１３と大径ねじ部１４との境界部分は、被締結体３０の貫通孔３１の内部に位置している。
【００１９】
また、上述のように、締結体２０の有底孔２１の内径ｄ１と、被締結体３０の貫通孔３１の内径ｄ２と、ねじ軸部２の小径ねじ部１３の外径Ｄ１と、ねじ軸部２の大径ねじ部１４の外径Ｄ２との寸法の大小関係が、ｄ１＜Ｄ１＜ｄ２＜Ｄ２となっている理由としては、仮に、有底孔２１の内径ｄ１と貫通孔３１の内径ｄ２とを同一寸法ｄ１にした場合、小径ねじ部１３は、貫通孔３１の内周面にも雌ねじを形成しながらねじ込まれることになるので、ねじ込みに必要以上に時間を要することになる。また、このような場合、締結体２０と被締結体３０との位置関係が左右にずれたとき、タッピンねじ１０をねじ込めなくなる。このような問題を防止するために、上述した寸法の大小関係になっている。
【００２０】
上記部品締結構造１によれば、樹脂製の締結体２０および被締結体３０が熱の影響により収縮変形したとき、軸力は失われてしまうことになるが、ねじ軸部１２が、締結体２０と被締結体３０との双方にねじ込まれているので、ガタツキは生じず、緩みの原因となるガタツキを生じさせないことによる緩み止め効果を得ることができる。また、このように、インサートカラーやインサートナットなどの部品を使用しなくても、樹脂製の締結体２０および被締結体３０に対して緩み止め効果を発揮するので、軽量化に寄与することができる。
【００２１】
以下、本発明の締結構造１とドリルねじを用いた締結構造との比較ににより、本発明の締結構造における優位な点を説明する。ドリルねじを用いた締結構造の場合、ドリルねじは、ねじ軸部の先端に刃先を有するため、ねじ軸部の全長が長くなる。これに対して、本発明の締結構造１の場合、タッピンねじ１０は、ねじ軸部１２の先端に刃先を有さないため、全長を短くすることができる。また、ドリルねじを用いた締結構造の場合、締結体に設ける孔は貫通孔に限定され、ドリルねじの刃先を貫通孔から突き出させた締結構造になるが、本発明の締結構造１の場合、締結体２０の孔は貫通孔あるいは有底孔の何れであってもよく、タッピンねじ１０のねじ軸部１２の先端を締結体２０から突き出させる必要もないので、コンパクトな構造になる。
【００２２】
なお、本発明の各部の具体的な構成は、上述した実施形態に限定されるものではなく、本発明の趣旨を逸脱しない範囲で種々変形が可能である。
【符号の説明】
【００２３】
１  締結構造
１０  タッピンねじ
１１  頭部
１２  ねじ軸部
１３  小径ねじ部
１４  大径ねじ部
２０  締結体
２１  有底孔
３０  被締結体
３１  貫通孔
【図１】
2018112292.tif 000003
【図２】
2018112292.tif 000004